(57)【要約】【課題】ＣＰＵによる受信データの読み出しタイミングが遅い場合でもまだ読み出していない受信データを消失させてしまうことがなく、受信データの読み出しによりＣＰＵにかかる負荷を低減させることができる集合住宅インターホンシステムを提供する。【解決手段】制御装置３０がＦＩＦＯコントローラ３４およびＦＩＦＯメモリ３３を備えるように構成する。すなわち、ＦＩＦＯメモリ３３に受信した有効なデータを格納しておくことができるように構成することで、ＣＰＵ３５による受信データの読み出しタイミングが遅い場合でもデータが消失しないようにすることができる。【選択図】図２
2013090205.tif 000002
【特許請求の範囲】
【請求項１】
集合住宅のエントランスに設置され、来訪者が居住者を呼び出す際に使用する集合玄関機と、各住戸内に設置され、前記集合玄関機からの呼び出しに応答する際に使用する複数の居室親機と、前記集合玄関機および前記居室親機を制御する制御装置と、前記居室親機または前記集合玄関機と前記制御装置との間のデータ通信に使用される複数の通信路と、
を有する集合住宅インターホンシステムにおいて、
前記制御装置は、前記集合玄関機および前記居室親機を制御して処理を行う制御部の他に、所定のデータを一時的に格納するＦＩＦＯメモリと、前記居室親機または前記集合玄関機から受け取ったデータが有効か否かを識別し、有効なデータであると識別した場合にこの有効なデータの先頭に送信元の通信路の番号を付与し、送信元の通信路の番号を付与したデータを前記ＦＩＦＯメモリに順次入力するＦＩＦＯコントローラとを有しており、
前記ＦＩＦＯコントローラまたは前記ＦＩＦＯメモリは、前記ＦＩＦＯメモリが所定の容量になった場合、前記ＦＩＦＯメモリが所定の容量になったことを前記制御部に通知する構成となっており、
前記制御部は、前記ＦＩＦＯコントローラからの通知があった場合、前記ＦＩＦＯメモリ内のデータを一括して読み出す構成となっている、
集合住宅インターホンシステム。
【請求項２】
前記制御部または前記ＦＩＦＯコントローラはタイマを有しており、
前記タイマに設定された所定の時間を経過しても前記ＦＩＦＯコントローラからの通知がなかった場合、前記制御部による前記ＦＩＦＯメモリ内のデータの一括読み出しを実行する構成となっている、
請求項１記載の集合住宅インターホンシステム。
【請求項３】
集合住宅のエントランスに設置され、来訪者が居住者を呼び出す際に使用する集合玄関機と、各住戸内に設置され、前記集合玄関機からの呼び出しに応答する際に使用する複数の居室親機と、前記居室親機または前記集合玄関機と前記制御装置との間のデータ通信に使用される複数の通信路とを有する集合住宅インターホンシステムにおいて用いられる、前記集合玄関機および前記居室親機を制御する制御装置であって、
前記集合玄関機および前記居室親機を制御して処理を行う制御部の他に、所定のデータを一時的に格納するＦＩＦＯメモリと、前記居室親機または前記集合玄関機から受け取ったデータが有効か否かを識別し、有効なデータであると識別した場合にこの有効なデータの先頭に送信元の通信路の番号を付与し、送信元の通信路の番号を付与したデータを前記ＦＩＦＯメモリに順次入力するＦＩＦＯコントローラとを有しており、
前記ＦＩＦＯコントローラまたは前記ＦＩＦＯメモリは、前記ＦＩＦＯメモリが所定の容量になった場合、前記ＦＩＦＯメモリが所定の容量になったことを前記制御部に通知する構成となっており、
前記制御部は、前記ＦＩＦＯコントローラからの通知があった場合、前記ＦＩＦＯメモリ内のデータを一括して読み出す構成となっている、
制御装置。
【請求項４】
前記制御部または前記ＦＩＦＯコントローラはタイマを有しており、
前記タイマに設定された所定の時間を経過しても前記ＦＩＦＯコントローラからの通知がなかった場合、前記制御部による前記ＦＩＦＯメモリ内のデータの一括読み出しを実行する構成となっている、
請求項３記載の制御装置。
【発明の詳細な説明】
【技術分野】
【０００１】
本発明は、集合住宅インターホンシステムおよび制御装置に関する。
【背景技術】
【０００２】
図４に示すように、各住戸内に設置される複数の居室親機１０１と、一つ以上のマンション等の集合住宅のエントランスに設置される集合玄関機１０２と、集合玄関機１０２および居室親機１０１を制御する制御機１０３とを有する集合住宅インターホンシステム１００が従来より知られている。
集合玄関機１０２は、来訪者が居住者を呼び出す際に操作する呼出ボタンおよび来訪者が居住者と通話するための通話部を有している。居室親機１０１は、集合玄関機１０２からの呼び出しに応答する際に操作する操作部、居住者が来訪者と通話するための通話部および表示部を有している。
この集合住宅インターホンシステム１００の複数の居室親機１０１、集合玄関機１０２および制御装置１０３は、複数の通信路（幹線）Ｌ１１、Ｌ１２・・Ｌ１７を介して接続されており、制御データや映像データ、音声データ等のデータを互いに通信できるように構成されている。
【０００３】
制御装置１０３は、図４に示すように、居室親機１０１または集合玄関機１０２（以下、居室親機１０１等とする。）から送信されたデータを各通信路から受信するとともに、制御装置１０３から居室親機１０１等に送信すべきデータを各通信路Ｌに受け渡すための複数の通信インターフェース（以下、通信ＩＦとする。）１０４と、各通信ＩＦ１０４が受信したデータが書き込まれる複数の受信バッファ１０５と、居室親機１０１等を制御し様々な処理を実行する制御部（ＣＰＵ）１０６とを有している。
この図に示すように、居室親機１０１等から制御装置１０３にデータが送信される場合、居室親機１０１等から出力されたデータは各通信路Ｌ１１、Ｌ１２・・Ｌ１７を介して制御装置１０３の対応する通信ＩＦ１０４に送信される。このように制御装置１０３に送信されたデータは通信ＩＦ１０４から受信バッファ１０５を介してＣＰＵ１０６に送信され、ＣＰＵ１０６は、データの内容に基づいた処理を実行する。
なお、居室親機１０１等から送信されるデータとは、居室親機１０１等の図示しないＣＰＵから制御装置１０３のＣＰＵ１０６に送られる通信メッセージを示す。具体的には、映像チャネルの使用許可を要求するメッセージ、居室親機１０１等が特定の映像チャネルを使用して映像を流すことを制御装置１０３に要求するとともに、それに伴う準備を要求するメッセージ、映像チャネルの使用の終了を要求するメッセージ、映像伝送の終了処理を要求するメッセージ、居室親機１０１等のステータスを通知するメッセージ、制御装置１０１からのメッセージを正常に受信したことを通知するメッセージ等があげられる。
【先行技術文献】
【特許文献】
【０００４】
【特許文献１】特開２００５−２４４３５７号公報
【発明の概要】
【発明が解決しようとする課題】
【０００５】
このように各居室親機１０１または集合玄関機１０２から制御装置１０３に送信されるデータは、一般的に複数のフレームデータとして送信されるが、上記のような集合住宅インターホンシステム１００においては複数の通信路Ｌ１１ないしＬ１７を介して多数の居室親機１０１および一つ以上の集合玄関機１０２が制御装置１０３に接続されている（すなわち、制御装置１０３に多数の端末が接続されている）ため、多数の居室親機１０１等から同時期に連続してデータが送信される可能性がある。この場合、図５（１）に示すように、制御装置１０３は最大ですべての通信路Ｌ１１、Ｌ１２、・・から同時に次々とフレームデータを受信することとなり、すべての通信ＩＦ１０４、すなわち各通信ＩＦ１０４ａないし１０４ｇのそれぞれが受信したフレームデータ（以下、受信データとする。）は、図５（２）に示すように各受信バッファ１０５ａないし１０５ｇに順次書き込まれる。
【０００６】
ＣＰＵ１０６は、各受信バッファ１０５ａないし１０５ｇに書き込まれた受信データを順番に読み出して処理を実行するが、各受信バッファ１０５ａないし１０５ｇに次のフレームデータが書き込まれる前までに受信データの読み出しを実行しないと、次の受信データが書き込まれることによって受信バッファ１０５内のデータが上書きされることとなる。
このため、ＣＰＵ１０６がデータ読出以外の処理、例えば集合玄関機１０２と居室親機１０１の一つとの間に通話路を形成する等の他の処理も実行しなければならない場合にはＣＰＵ１０６の処理速度が間に合わず、図５（３）に示すように、受信した受信データがＣＰＵ１０６によって読み出される前に上書きされて消失してしまう場合がある。
【０００７】
以上のようなことから、一つの通信路に１００台以上もの端末が接続され、さらにそのような通信路が制御装置に複数接続されている大規模な集合住宅インターホンシステムにおいては、上記のような仕様では相当高速に処理できる制御部がない限り、ＣＰＵが受信データを取り損なうおそれがある。
また、ＣＰＵによる受信データの取り損ないが発生しないとしても、ＣＰＵは通信ＩＦが受信データを受信する度に読み出し処理を実行する必要があるため、多数の受信データを読み出す処理自体がＣＰＵに相当の負荷をかけることになり、ＣＰＵがそれ以外の処理ができなくなるおそれがある。
このような不都合を回避するための方法として、制御装置に接続される居室親機等の端末の数を削減したり、制御装置にＣＰＵを複数設け、受信データの読み出しを並列的に実行するように構成したり、受信データを端末毎に区別してＲＡＭに保存する等の方法が考えられる。
【０００８】
しかしながら、制御装置に接続される居室親機等の端末の数を削減する方法では集合住宅インターホンシステムの仕様に制限がかかってしまい、制御装置にＣＰＵを複数設ける方法や受信データを端末毎に区別してＲＡＭに保存する方法では回路規模を大幅に増加させることとなるため、容易に採用できるものではない。
【０００９】
本発明は、以上のような問題点に鑑みてなされたものであり、ＣＰＵによる受信データの読み出しタイミングが遅い場合でもまだ読み出していない受信データを消失させてしまうことがなく、受信データの読み出しによりＣＰＵにかかる負荷を低減させることができる集合住宅インターホンシステムを提供することを課題とする。
【課題を解決するための手段】
【００１０】
上記課題を解決するために、本願発明者は、以下のような集合住宅インターホンシステムおよび制御装置を提案する。
【００１１】
本発明の集合住宅インターホンシステムは、集合住宅のエントランスに設置され、来訪者が居住者を呼び出す際に使用する集合玄関機と、各住戸内に設置され、前記集合玄関機からの呼び出しに応答する際に使用する複数の居室親機と、前記集合玄関機および前記居室親機を制御する制御装置と、前記居室親機または前記集合玄関機と前記制御装置との間のデータ通信に使用される複数の通信路と、を有する。
この制御装置は、前記集合玄関機および前記居室親機を制御して処理を行う制御部の他に、所定のデータを一時的に格納するＦＩＦＯメモリと、前記居室親機または前記集合玄関機から受け取ったデータが有効か否かを識別し、有効なデータであると識別した場合にこの有効なデータの先頭に送信元の通信路の番号を付与し、送信元の通信路の番号を付与したデータを前記ＦＩＦＯメモリに順次入力するＦＩＦＯコントローラとを有しており、前記ＦＩＦＯコントローラは、前記ＦＩＦＯメモリが所定の容量になった場合、前記ＦＩＦＯメモリが所定の容量になったことを前記制御部に通知する構成となっており、前記制御部は、前記ＦＩＦＯコントローラからの通知があった場合、前記ＦＩＦＯメモリ内のデータを一括して読み出す構成となっている。
また、本発明は、集合住宅のエントランスに設置され、来訪者が居住者を呼び出す際に使用する集合玄関機と、各住戸内に設置され、前記集合玄関機からの呼び出しに応答する際に使用する複数の居室親機と、前記居室親機または前記集合玄関機と前記制御装置との間のデータ通信に使用される複数の通信路とを有する集合住宅インターホンシステムにおいて用いられる、前記集合玄関機および前記居室親機を制御する制御装置を提供する。
ここで、無効なデータは空のデータを意味し、有効なデータは空ではないデータを意味する。居室親機等と制御装置との間のデータの送受信動作自体は毎フレーム行われるが、居室親機等からのデータ送信は毎フレーム実行されるわけではない。すなわち、システムの起動時などには居室親機等から送信されるどのフレームにも有効なデータが入ることもあるが、通常時においては無効なデータが送信される場合も多い。また、居室親機等からデータを送信する際は、送信元である居室親機等において送信するデータが有効であるか無効であるかを示すフラグを立ててデータを送信するのが一般的である。
ＦＩＦＯコントローラは、居室親機等から受け取ったデータのフラグを見て該データの有効性を識別し、有効なデータであると識別した場合、この有効なデータに送信元の通信路の番号を付与したデータをＦＩＦＯメモリに順次入力する構成となっている。
【００１２】
よって、このようなＦＩＦＯコントローラおよびＦＩＦＯメモリを有する制御装置、またはこの制御装置を備える本発明の集合住宅インターホンシステムによれば、ＦＩＦＯメモリに受信した有効なデータを格納しておくことができるため、制御部による受信データの読み出しタイミングが遅い場合でもデータを消失させてしまうことがない。
また、一般的に論理回路は制御部によるメモリアクセスよりも高速で並列処理することができるところ、ＦＩＦＯコントローラは論理回路であるため、制御部により受信データの読み出しを実行する場合と比して安定して高速にＦＩＦＯメモリに受信データを移動させることができる。
また、ＦＩＦＯコントローラまたはＦＩＦＯメモリは、ＦＩＦＯメモリが所定の容量になった場合、ＦＩＦＯメモリが所定の容量になったことを制御部に通知する構成となっており、制御部は、ＦＩＦＯコントローラまたはＦＩＦＯメモリからの通知があった場合、ＦＩＦＯメモリ内のデータを一括して読み出す構成となっているため、従来のような制御部による受信データの読み出しをデータの受信の度に実行する構成よりも制御部にかかる負荷を低減することができる。また、ＦＩＦＯメモリには有効なデータのみが格納されるので、その後制御部によりＦＩＦＯメモリから読み出されるデータはすべて有効であるため、制御部がデータの有効性を判断する必要がなく、制御部にかかる負荷を低減することができる。
【００１３】
前記制御部または前記ＦＩＦＯコントローラはタイマを有しており、前記タイマに設定された所定の時間を経過しても前記ＦＩＦＯコントローラからの通知がなかった場合、前記制御部による前記ＦＩＦＯメモリ内のデータの一括読み出しを実行する構成としてもよい。
このような構成の制御装置、またはこの制御装置を備える集合住宅インターホン装置によれば、ＦＩＦＯメモリが所定の容量にならない場合であっても所定の時間が経過する度にＦＩＦＯメモリ内のデータの読み出しが実行されるため、所定の時間内に制御装置が受信した有効なデータが少ない場合であっても受信データが読み出されずに放置されることを防止することができ、制御通信の即応性を保つことができる。
【発明の効果】
【００１４】
本発明によれば、ＣＰＵによる受信データの読み出しタイミングが遅い場合でもまだ読み出していない受信データが消失してしまうことがなく、受信データの読み出しによりＣＰＵにかかる負荷を低減させることができる集合住宅インターホンシステムを提供することができる。
【図面の簡単な説明】
【００１５】
【図１】本実施形態の集合住宅インターホンシステム１の全体構成を示す図。
【図２】本実施形態の集合住宅インターホンシステム１の制御装置３０の構成を示す図。
【図３】ＦＩＦＯコントローラ３４の構成を示す図。
【図４】従来の集合住宅インターホンシステム１００の全体構成を示す図。
【図５】（１）は、従来の集合住宅インターホンシステム１００の居室親機１０１等から通信線Ｌを介して制御装置１０３にデータが送信される様子を時間軸で示す図であり、（２）は、従来の集合住宅インターホンシステム１００の制御装置１０３の受信バッファ１０５の書き込みタイミングを示す図であり、（３）は、ＣＰＵ１０６の処理の様子を示す図である。
【発明を実施するための形態】
【００１６】
以下、本発明の集合住宅インターホンシステムの好ましい実施形態を、図面を参照しながら詳細に説明する。
【００１７】
本実施形態による集合住宅インターホンシステム１は、概略で図１に示すように構成される。
この図に示すように、集合住宅インターホンシステム１は、各住戸内に設置される複数の居室親機１０と、マンション等の集合住宅のエントランスに設置される一つ以上の集合玄関機２０と、居室親機１０および集合玄関機２０を制御する制御装置３０とを有している。
制御装置４０は、通信路Ｌ１ないしＬ７を介して複数の居室親機１０または一つ以上の集合玄関機２０と接続されている。すなわち、通信路Ｌ１ないしＬ６にはそれぞれ多数（例えば１００台）の居室親機１０の端末が接続されており、通信路Ｌ７には一つ以上の集合玄関機２が接続されている。
【００１８】
以下、居室親機１０、集合玄関機２０および制御装置３０の構成について説明する。
【００１９】
居室親機１０は、来訪者等からの呼び出しに応答する際、管理人を呼び出す際または警報を報知する際等に操作する操作部、居住者が来訪者等と通話するための通話部、来訪者等を表示するための表示部、制御装置３０との間で音声、映像等の各種データの送受信を行うための通信ＩＦおよび居室親機１０の各部を制御するためのＣＰＵを備えている。
【００２０】
集合玄関機２０は、来訪者が居住者等を呼び出す際に操作する操作部、来訪者が居住者と通話するための通話部、操作部にて入力された居室番号等を表示するための表示部、制御装置３０との間で音声、映像等の各種データの送受信を行うための通信ＩＦおよび集合玄関機２０の各部を制御するためのＣＰＵを備えている。
【００２１】
制御装置３０は、図２に示すように、居室親機１０または集合玄関機２０（以下、居室親機１０等とする。）から送信されたデータを各通信路Ｌ１ないしＬ７から受信するとともに、制御装置３０から居室親機１０等に送信すべきデータを各通信路Ｌ１ないしＬ７に受け渡すための複数の通信インターフェース（以下、通信ＩＦとする。）３１と、各通信ＩＦが受信したデータが書き込まれる複数の受信バッファ３２と、所定のデータを一時的に格納するＦＩＦＯメモリ３３と、ＦＩＦＯコントローラ３４と、居室親機１０等を制御し様々な処理を実行する、図示しないタイマを備えるＣＰＵ３５とを有している。
【００２２】
ＦＩＦＯコントローラ３４は、ＦＩＦＯメモリ３３へのデータの入力およびＦＩＦＯメモリ３３からの出力を制御するためのものであり、図３に示すように、受信データ読出制御部３４１と、通信ＩＦ番号データ付加部３４２とを備えている。
【００２３】
受信データ読出制御部３４１は、受信バッファ３２に書き込まれたデータの有効性を示すフラグを確認することによって、該データが有効か否かを識別する。
【００２４】
通信ＩＦ番号データ付加部３４２は、受信データ読出制御部３４１により有効なデータであると識別されたデータの先頭に送信元の通信路の番号を付与する構成となっている。
【００２５】
次に、本実施形態の集合住宅インターホンシステム１において、居室親機１０等から制御装置３０にデータが送信された場合の制御装置３０の動作について説明する。
【００２６】
居室親機１０等から出力されたデータは、各通信路Ｌ１、Ｌ２・・Ｌ７を介して制御装置３０の対応する通信ＩＦ３１に送信される。
ここで、居室親機１０１等から送信されるデータとは、居室親機１０１等の図示しないＣＰＵから制御装置１０３のＣＰＵ１０６に送られる通信メッセージを示す。具体的には、映像チャネルの使用許可を要求するメッセージ、居室親機１０１等が特定の映像チャネルを使用して映像を流すことを制御装置１０３に要求するとともに、それに伴う準備を要求するメッセージ、映像チャネルの使用の終了を要求するメッセージ、映像伝送の終了処理を要求するメッセージ、居室親機１０１等のステータスを通知するメッセージ、制御装置１０１からのメッセージを正常に受信したことを通知するメッセージ等があげられる。この居室親機１０等から出力されたデータには、送信元である居室親機１０等において送信するデータが有効であるか無効であるかを示すフラグが立てられている。
【００２７】
通信ＩＦ３１が受信したデータ（以下、受信データとする。）は、通信ＩＦ３０に接続される受信バッファ３２に送られ、受信バッファ３２に一時的に書き込まれる。
受信バッファ３２に受信データが書き込まると、ＦＩＦＯコントローラ３４の制御のもと、受信データ読出制御部３４１は受信バッファ３２に書き込まれたデータが有効であるか否かを識別する。
受信データ読出制御部３４１が受信バッファ３２に書き込まれたデータが有効であると識別した場合、ＦＩＦＯコントローラ３４の制御のもと、通信ＩＦ番号データ付加部３４２は、該データの送信元の通信路Ｌの番号、すなわち通信路Ｌ１ないしＬ７のいずれかを示す番号をデータとしてＦＩＦＯメモリ３３に書き込み、続いて受信データ読出制御部３４１が受信バッファ３２に書き込まれたデータを読み出してＦＩＦＯメモリ３３にすべて書き込む。
このように、受信データ読出制御部３４１が受信バッファ３２に書き込まれたデータが有効であると識別した場合には、ＦＩＦＯコントローラ３４により、その先頭に送信元の通信路の番号が付与された受信データがＦＩＦＯメモリ３３に順次入力されることとなる。
受信バッファ３２が次のフレームを受信する前にこの処理をすべての受信バッファ３２に対して実行することで、受信データが上書きされて消失することを防止することができる。なお、この処理は、例えば通信路Ｌ１から通信路Ｌ７の順に実行される。
【００２８】
よって、このようなＦＩＦＯコントローラ３４およびＦＩＦＯメモリ３３を有する制御装置３０を備える本発明の集合住宅インターホンシステム１によれば、ＦＩＦＯメモリ３３に有効な受信データを格納しておくことができるため、ＣＰＵ３５による受信データの読み出しタイミングが遅い場合でもデータが消失してしまうことがない。
また、一般的に論理回路は制御部によるメモリアクセスよりも高速で並列処理することができるところ、ＦＩＦＯコントローラ３４は論理回路であるため、ＣＰＵ３５により受信データの読み出しを実行する場合と比して安定して高速にＦＩＦＯメモリ３３に受信データを移動させることができる。
【００２９】
一方、受信データ読出制御部３４１が受信バッファ３２に書き込まれたデータが無効であると識別した場合、該データはＦＩＦＯメモリ３３に入力されず、そのまま放置される。
放置されることにより、その後受信バッファ３２に新たな受信データが書き込まれて上書きされることとなるが、該受信データは無効なデータであるため問題ない。
【００３０】
以上のように、ＦＩＦＯコントローラ３４により順次ＦＩＦＯメモリ３３への受信データの入力が実行され、ＦＩＦＯメモリ３３に所定の容量以上（例えばＦＩＦＯメモリ３３の容量の８０％以上）蓄積されると、ＦＩＦＯコントローラ３４は、ＣＰＵ３５に対してＦＩＦＯメモリ３３の読み出し処理の実行を要求する読出要求信号を送信する。
ＣＰＵ３５は、ＦＩＦＯコントローラ３４から読出要求信号を受信すると、ＦＩＦＯメモリ３３内のデータを一括して読み出し、その内容に基づいた処理を実行する。
【００３１】
このように、本実施形態の集合住宅インターホンシステム１によれば、従来のようにＣＰＵ３５による受信データの読み出しをデータの受信の度に実行するのではなく、ＣＰＵ３５はＦＩＦＯコントローラ３４から読出要求信号を受信した場合にＦＩＦＯメモリ３３内のデータを一括して読み出す構成となっているため、従来よりもＣＰＵ３５にかかる負荷を低減することができる。また、ＦＩＦＯメモリ３３には有効なデータのみが格納されることとなるため、その後ＣＰＵ３５によりＦＩＦＯメモリ３３から読み出されるデータはすべて有効となる。これにより、ＣＰＵ３５がデータの有効性を判断する必要がないため、ＣＰＵ３５にかかる負荷を低減することができる。
【００３２】
また、ＣＰＵ３５は、図示しないタイマに設定された所定の時間（例えば１ｍｓｅｃ）を経過してもＦＩＦＯコントローラ３４から読出要求信号がなかった場合、ＦＩＦＯメモリ３３内のデータの一括読み出しを実行する。
このような構成の集合住宅インターホン装置１によれば、ＦＩＦＯメモリ３３が所定の容量にならない場合であっても所定の時間が経過する度にＦＩＦＯメモリ３３内のデータの読み出しが実行されるため、所定の時間内に制御装置３０が受信した有効なデータが少ない場合であっても受信データが読み出されずに長時間放置されることを防止することができ、制御通信の即応性を保つことができる。
【００３３】
なお、本実施形態の集合住宅インターホンシステム１においては、ＦＩＦＯメモリ３３に所定の容量以上蓄積された場合、ＦＩＦＯコントローラ３４がＣＰＵ３５に対してＦＩＦＯメモリ３３の読み出し処理の実行を要求する読出要求信号を送信する構成となっているものとして記載したが、このような読出要求信号をＦＩＦＯメモリ３３がＣＰＵ３５に対して直接送信する構成となっていてもよい。
【００３４】
また、本実施形態の集合住宅インターホンシステム１においては、ＣＰＵ３５がタイマを有しており、所定の時間を経過してもＦＩＦＯコントローラ３４から読出要求信号がなかった場合、ＦＩＦＯメモリ３３内のデータの一括読み出しを実行する構成となっているものとして記載したが、ＦＩＦＯコントローラ３４の方がタイマを有しており、所定の時間を経過してもＦＩＦＯメモリ３３に所定の容量以上蓄積されない場合、ＣＰＵ３５に読出要求信号を送信するような構成となっていてもよい。
【００３５】
また、本実施形態の集合住宅インターホンシステム１は、複数の居室親機１０と、一つ以上の集合玄関機２０と、制御装置３０とを有するものとして記載したが、さらに管理人室に設置される一つ以上の管理室親機を備える構成としてもよい。この場合、管理室親機から送信されるデータも居室親機１０から送信されるデータと同様、通信路Ｌを介して制御装置に送信され、上記のように処理されることとなる。
【符号の説明】
【００３６】
１，１００・・集合住宅インターホンシステム、１０，１０１・・居室親機、２０，１０２・・集合玄関機、３０，１０３・・制御装置、３１，１０４・・通信ＩＦ、３２，１０５・・受信バッファ、３３・・ＦＩＦＯメモリ、３４・・ＦＩＦＯコントローラ、３５，１０６・・ＣＰＵ（制御部）、３４１・・受信データ読出制御部、３４２・・通信ＩＦ番号データ付加部、Ｌ・・通信路。
【図１】
2013090205.tif 000003
【図２】
2013090205.tif 000004
【図３】
2013090205.tif 000005
【図４】
2013090205.tif 000006
【図５】
2013090205.tif 000007